(57)【要約】【課題】使用者が提げ手部並びに肩掛け部を把持することで、掃除機本体をカバー部材により支持して持ち運びを容易にすると共に、ホースや吸込具などをカバー部材の内側に収納することができる使用性の高い電気掃除機を提供すること。【解決手段】塵埃吸引用の電動送風機１１及び集塵室４を内蔵する掃除機本体２と、集塵室４に連通するホース２５と、掃除機本体２の底面及び対向する２側面の少なくとも３面を覆うカバー部材３とを備え、カバー部材３には、提げ手部３１及び肩掛け部４０の少なくとも一方を有し、使用者が提げ手部３１並びに肩掛け部４０を把持することで、掃除機本体２をカバー部材３により支持して容易に持ち運びができると共に、カバー部材３の上部の開口を通して、ホース２５や吸込具２７などの付属品をカバー部材３の内部に収納することができる。【選択図】図１
2017176401.tif 000002
【特許請求の範囲】
【請求項１】
塵埃吸引用の電動送風機及び集塵室を内蔵する掃除機本体と、前記集塵室に連通するホースと、前記掃除機本体の底面及び対向する２側面の少なくとも３面を覆うカバー部材と、を備え、前記カバー部材には、提げ手部及び肩掛け部の少なくとも一方を有し、前記提げ手部並びに前記肩掛け部は、前記カバー部材と一体或いは別体に設けられ、使用者が前記提げ手部並びに肩掛け部を把持することで、前記掃除機本体を前記カバー部材により支持し、持ち運び可能としたことを特徴とする電気掃除機。
【請求項２】
前記カバー部材を、上面が開口し前記掃除機本体を全面的或いは部分的に覆う袋体としたことを特徴とする請求項１に記載の電気掃除機。
【請求項３】
前記集塵室内に収納され前記掃除機本体に着脱自在に構成した塵埃収納部と、前記塵埃収納部と対面する位置に配置され前記袋体に設けた開口部と、を備え、前記塵埃収納部が前記開口部を介して前記袋体の外部に取り出せるようにしたことを特徴とする請求項２に記載の電気掃除機。
【請求項４】
前記袋体は４方の側壁部と底部から形成され、前記４方の側壁部は、対面する２方の長手方向の側壁部と、対面する２方の短手方向の側壁部とから成り、前記開口部を前記短手方向の側壁部に形成したことを特徴とする請求項３に記載の電気掃除機。
【請求項５】
前記塵埃収納部は少なくとも一部が前記袋体の前記開口部から突出するように構成されたことを特徴とする請求項３または４に記載の電気掃除機。
【請求項６】
前記カバー部材を布やウレタンなどの被服材料や、発泡ゴムや発泡ポリエチレンなどの柔軟性を持つ材料、或いはこれらの組合せで構成したことを特徴とする請求項１〜５のいずれか１項に記載の電気掃除機。
【請求項７】
塵埃吸引用の電動送風機及び集塵室を内蔵する掃除機本体と、前記集塵室に連通するホースと、上部が開口し前記掃除機本体を収納する袋体と、を備え、前記掃除機本体は、前記袋体内部において下方に収容され、前記袋体の内壁に前記掃除機本体を保持、固定するための固定ベルトを、袋体に一体或いは別体に設けたことを特徴とする電気掃除機。
【請求項８】
前記袋体は４方の側壁部と底部から形成され、前記４方の側壁部は、対面する２方の長手方向の側壁部と、対面する２方の短手方向の側壁部とから成り、前記固定ベルトは、前記掃除機本体の上部を覆うように、少なくとも、前記袋体の対面する２方の長手方向の側壁部の内壁間及び、対面する２方の短手方向の側壁部間に１対以上設けたことを特徴とする請求項７に記載の電気掃除機。
【請求項９】
前記固定ベルトは、前記袋体の内壁に対し、前記袋体内部に収容される前記掃除機本体の上面よりも低い位置から前記掃除機本体の上部を覆うように設けられたことを特徴とする請求項７または８に記載の電気掃除機。
【請求項１０】
前記掃除機本体を前記袋体に収納させ、前記固定ベルトで前記掃除機本体の上部を覆った状態において、前記掃除機本体の上部に、前記固定ベルトを収める凹溝或いはスリット孔を設けたことを特徴とする請求項７〜９のいずれか１項に記載の電気掃除機。
【請求項１１】
前記袋体の対面する２方の長手方向の側壁部には、長手方向に沿って互いが各々対面するよう２つの提げ手部が一体或いは別体に設けられたことを特徴とする請求項７〜１０のいずれか１項に記載の電気掃除機。
【請求項１２】
塵埃吸引用の電動送風機及び集塵室を内蔵する掃除機本体と、前記集塵室に連通するホースと、上部が開口し前記掃除機本体を収納する袋体と、を備え、前記掃除機本体の少なくとも一部分が袋体から突出した脚部を設けた電気掃除機。
【請求項１３】
前記構成の脚部は、掃除機本体を平面上に置いた時に、平面と前記袋体との間に空間が確保される高さに設定した請求項１２に記載の電気掃除機。
【請求項１４】
前記構成の掃除機本体の袋体は、掃除機本体の外面に沿うように設置された構成とした請求項１２または１３に記載の電気掃除機。
【発明の詳細な説明】
【技術分野】
【０００１】
本願発明は電気掃除機に関して、特に掃除機本体及びホース、吸込具などの掃除機付属品を収納する収納ケースを有した電気掃除機に関するものである。
【背景技術】
【０００２】
従来のこの種の電気掃除機としては、掃除機本体及びホース、吸込具などの掃除機付属品を収納する鞄状の収納ケース（樹脂製）を有し、収納ケースは掃除機本体を固定する本体ケースと、これにヒンジで結合された蓋ケースから構成される。収納ケースには掃除機本体の集塵室に連通するホースを通す開口と、掃除機本体からの排気を出すための開口を設けている。また、ホース開口部には蓋を設け、蓋を開けると電源スイッチが露出する。
【０００３】
図１９に示すように、使用者は、収納ケースの開口からホースを引き出し、収納ケースの上部に形成された提げ手部を持った状態或いは、ベルト体を収納ケースに取付け、肩に掛けた状態で掃除を行う（例えば特許文献１参照）。
【先行技術文献】
【特許文献】
【０００４】
【特許文献１】昭６３−２３０１３３号公報
【発明の概要】
【発明が解決しようとする課題】
【０００５】
前記従来の構成において、使用者が収納ケース内に掃除機本体のほか、ホースや吸込具などの掃除機付属品を収納することができるため、掃除機付属品を効率よく収納することができ、また紛失し難くなるなどの利点が考えられる。
【０００６】
一方で、使用者が掃除中に吸込具を交換あるいは収納ケース内に収納しようとした場合には、その都度収納ケースの本体ケースと蓋ケースを開閉する必要があり、掃除作業が中断されるため作業効率が低下するなどの課題があった。
【０００７】
また、収納ケースを樹脂の成型部品で構成することにより、製品重量が大幅に増加するため、使用者が収納ケース及び掃除機本体を持ち運ぶ際の負荷が大きく、使用性における課題があった。
【０００８】
本発明は上記従来の課題を解決するものであって、収納ケースからホースや吸込具などの掃除機付属品を取り出し易くすると共に、掃除機本体及び収納ケースの軽量化を図ることで、使用性の高い電気掃除機を提供することを目的とするものである。
【課題を解決するための手段】
【０００９】
上記従来の課題を解決するために、本発明は塵埃吸引用の電動送風機及び集塵室を内蔵する掃除機本体と、前記集塵室に連通するホースと、前記掃除機本体の底面及び対向する２側面の少なくとも３面を覆うカバー部材とを備え、前記カバー部材には、提げ手部及び肩掛け部の少なくとも一方を有し、前記提げ手部並びに前記肩掛け部は前記カバー部材に対して一体或いは別体に設けられ、使用者が前記提げ手部並びに肩掛け部を把持することで、前記掃除機本体を前記カバー部材により支持し、持ち運び可能としたことを特徴としたものである。
【００１０】
前記構成によれば、前記カバー部材は、前記掃除機本体の底面及び対向する２側面の少
なくとも３面を覆う構成であり、上面において開口した構成であるため、使用者は前記カバー部材に設けられた提げ手並びに肩掛け部を把持したまま、且つ、前記カバー部材の開閉を行うことなく、前記ホースやホースに接続する吸込具をカバー部材の内側に収容させることが可能である。
【００１１】
それゆえ、ホースや吸込具などの掃除機付属品を効率よく収納することができ、また、掃除作業を中断させることなく、付属品を取り出すことができるので、掃除機の使用性を向上させることができる。
【発明の効果】
【００１２】
本発明は、前記掃除機本体の底面及び対向する２側面の少なくとも３面を覆うカバー部材を設け、前記カバー部材に提げ手部及び肩掛け部の少なくとも一方を設け、また、前記カバー部材の内側に掃除機付属品を収容可能にすることで、掃除機本体の持ち運びを容易にすると共に、ホースや吸込具などの掃除機付属品をカバー部材の内側に収納可能とし、使用性の高い電気掃除機を提供することができる。
【図面の簡単な説明】
【００１３】
【図１】本発明の実施の形態１における電気掃除機の構成の一例を示す斜視図である。
【図２】同、電気掃除機の掃除機本体の構成の一例を示す斜視図である。
【図３】同、電気掃除機のカバー部材の構成の一例を示す斜視図である。
【図４】同、電気掃除機を前方から見た構成を示す正面図である。
【図５】同、電気掃除機の掃除機本体を前方から見た構成を示す正面図である。
【図６】同、電気掃除機を後方から見た構成を示す背面図である。
【図７】同、電気掃除機の掃除機本体を後方から見た構成を示す背面図である。
【図８】同、電気掃除機の掃除機本体を左側方から見た構成を示す側面図である。
【図９】同、電気掃除機を左側方から見た構成を示す側面図である。
【図１０】同、電気掃除機の前後方向の中央断面図である。
【図１１】同、電気掃除機のホース及びホースに接続する吸込具をカバー部材の内部に収納した状態を示す斜視図である。
【図１２】同、電気掃除機のホース及びホースに接続する吸込具をカバー部材の内部に収納した状態を示す断面図である。
【図１３】同、電気掃除機の前方から見た左右方向の断面構成を示す断面図である。
【図１４】同、電気掃除機の塵埃収納部を掃除機本体から取出した状態を示す斜視図である。
【図１５】（Ａ）同、電気掃除機のカバー部材の提げ手部を手で把持した状態での使用例を示す斜視図である。（Ｂ）同、電気掃除機のカバー部材の提げ手部を手で把持した状態でホースを収納する状態を示す斜視図である。（Ｃ）同、電気掃除機のカバー部材の提げ手部を腕に掛けた状態での使用例を示す斜視図である。（Ｄ）同、電気掃除機のカバー部材の提げ手部を肩に掛けた状態での使用例を示す斜視図である。
【図１６】（Ａ）本発明の実施の形態２における電気掃除機の肩掛けベルトを取り付けた一例を示す斜視図である。（Ｂ）同、電気掃除機において使用者が肩掛けベルトをタスキ掛けするようにして、カバー部と一緒に掃除機本体を携行する状態を示す斜視図である。
【図１７】同、電気掃除機の肩掛けベルトを取り付ける別構成の一例を示す斜視図である。
【図１８】本発明の実施の形態３における電気掃除機の構成の一例を示す斜視図である。
【図１９】従来の電気掃除機の斜視図である。
【発明を実施するための形態】
【００１４】
第１の発明は、掃除機本体の底面及び対向する２側面の少なくとも３面を覆うカバー部材に、提げ手部及び肩掛け部の少なくとも一方を、前記カバー部材と一体或いは別体に設けたものであり、掃除機本体の持ち運びを容易にすることができる。また、ホースや吸込具などの掃除機付属品をカバー部材の内側に収納可能とし、カバー部材を掃除機本体の上面において開口した構成とすることで、前記提げ手並びに肩掛け部を把持したまま、且つ、前記カバー部材の開閉を行うことなく、前記ホースやホースに接続する吸込具をカバー部材の内側に収容させることが可能となり、掃除作業の効率を高めることができる。
【００１５】
第２の発明は、掃除機本体を覆うカバー部材を、上面が開口し前記掃除機本体を全面的或いは部分的に覆う袋体としたことを特徴とするものであり、これにより、カバー部材の内側にホースや吸込具などの掃除機付属品の収納性を高め、前記付属品がカバー部材から脱落することを防ぐことが可能となるため、掃除機本体の持ち運びをより容易にすることができる。
【００１６】
第３の発明は、掃除機本体に内蔵された集塵室に収納され、掃除機本体に着脱自在に構成した塵埃収納部と、前記塵埃収納部と対面する位置に配置され前記袋体に設けた開口部を備え、前記塵埃収納部が前記開口部を介して前記袋体の外部に取り出せるように構成したものであり、これにより、前記袋体を開閉することなく前記塵埃収納部に収容された塵埃を容易に排出することが可能となるため、掃除機本体の使用性を損ねることが無い。
【００１７】
第４の発明は、掃除機本体を覆うカバー部材を袋体とし、前記袋体は４方の側壁部と底部から形成され、前記４方の側壁部は対面する２方の長手方向の側壁部と、対面する２方の短手方向の側壁部とから構成し、塵埃収納部と対面する開口部を前記短手方向の側壁部に形成したものである。これにより、使用者が前記カバー部材を右手、或いは左手の何れの手で持った状態、若しくは右肩、或いは左肩の何れかの肩に掛けた状態であっても、前記開口部を同一の方向に向けて把持することが可能であり、使用者の利き手によらず、同一の使用性を保つことが可能である。
【００１８】
第５の発明は、塵埃収納部の少なくとも一部を袋体の開口部から突出するように構成したものであり、これにより、塵埃収納部の着脱時に、使用者が塵埃収納部を把持し易くすることが可能であり、掃除機本体の使用性を高めることができる。
【００１９】
第６の発明は、前記カバー部材を布やウレタンなどの被服材料や、発泡ゴムや発泡ポリエチレンなどの柔軟性を持つ材料、或いはこれらの組合せで構成することにより、カバー部材の軽量化を図ると共に、使用者がカバー部材に設けられ提げ手部並びに肩掛け部を把持して掃除機本体を持ち運ぶ際に、掃除機本体が使用者の体に当たる衝撃を和らげることが可能であり、掃除機本体の持ち運び性や使用性を向上させることができる。
【００２０】
第７の発明は、電動送風機および集塵室を備えた掃除機本体と、一端が前記掃除機本体の接続口に接続されるホースと、提げ手部及び肩掛け部の少なくとも一方を有し、上部が開口し、前記掃除機本体を収容する袋体とを備えた電機掃除機であって、前記掃除機本体は袋体内部において下方に収容され、前記袋体の内壁に、前記掃除機本体を保持、固定するための固定ベルトを、袋体に一体或いは別体に設けたことを特徴とするものである。
【００２１】
これにより、前記掃除機本体が前記袋体に対して固定されることで安定し、持ち運び時に本体が動くことよる重心位置の変化で、使用者の腕もしくは肩にかかる負担が軽減され、使用性が向上することができる。
【００２２】
第８の発明は、特に第７の発明の袋体を、４方の側壁部と底部から形成され、前記４方
の側壁部は、対面する２方の長手方向の側壁部と、対面する２方の短手方向の側壁部とから成るものとし、前記固定ベルトは、前記掃除機本体の上部を覆うように、少なくとも、前記袋体の対面する２方の長手方向の側壁部の内壁間及び、対面する２方の短手方向の側壁部間に１対以上設けた構成とすることにより、掃除機本体を６方向で確実に固定することができるため、より使用性を向上させた電気掃除機を提供することができる。
【００２３】
第９の発明は、特に第７の発明または第８の発明の固定ベルトを、前記袋体内部に収容される前記掃除機本体の上面よりも低い位置から前記掃除機本体の上部を覆うように前記袋体の内壁に設けられた構成とすることにより、固定ベルトに常に張力がかかり、固定ベルトが設けられた内壁を袋体の内側に引っ張る力が働くため、袋体を掃除機本体の外郭に沿わせることが出来、掃除機本体と袋体の隙間をなくし、前記隙間への塵埃の侵入を軽減し、掃除機本体をより清潔に保つことが出来る電気掃除機を提供することができる。
【００２４】
第１０の発明は、特に第７〜第９のいずれか１つの発明の、前記袋体に収納され、前記固定ベルトで上部を覆われた掃除機本体を、上部に固定ベルトを収める凹溝或いはスリット孔を設けた構成とすることにより、袋体に対して、掃除機本体の固定ベルトに対して直交する水平方向への移動を制限するこができるため、より確実に袋体に対する掃除機本体の動きを制限した、更に使用性を向上させた電気掃除機を提供することができる。
【００２５】
第１１の発明は、特に第７〜第１０のいずれか１つの発明の袋体を、対面する２方の長手方向の側壁部に、長手方向に沿って互いが各々対面するよう２つの提げ手部が一体或いは別体に設けられた構成とすることにより、使用者が前記提げ手部を把持する際に、使用者の身体に近い位置かつ、バランスよく把持することができるため、前記掃除機本体の持ち運び時の使用者の負担をさらに軽減することができる使い勝手の良い電気掃除機を提供することができる。
【００２６】
第１２の発明は、塵埃吸引用の電動送風機及び集塵室を内蔵する掃除機本体と、前記集塵室に連通するホースと、上部が開口し掃除機本体を収納する袋体と、を備え、掃除機本体の少なくとも一部分が前記袋体から突出した脚部を設けたことを特徴とするものである。これにより、掃除機本体を平面上に置いた際、前記袋体よりも先に、掃除機本体の底面に設けられた脚部と平面が接することになり、袋体が汚れ、磨耗することを防ぐものである。
【００２７】
第１３の発明は、特に第１２の発明において、前記構成の脚部は、掃除機本体を平面上に置いた時に、平面と前記袋体との間に空間が確保される高さに設定した構成であることを特徴とするものである。これにより、掃除機本体を平面上に置いた際、平面と前記袋体との間に空間が確保されるため、前記袋体と平面が接触することを防ぎ、前記袋体が汚れ、磨耗することを防ぐものである。
【００２８】
第１４の発明は、特に第１２の発明または第１３の発明において、前記袋体は、掃除機本体の外面に沿うように設置された構成であることを特徴とするものである。これにより、掃除機本体を平面上に置いた際、前記袋体の位置がずれ落ちて平面と接触することを防ぎ、前記袋体が汚れ、磨耗することを防ぐものである。
【００２９】
以下、本発明の実施の形態について、図を用いて説明する。尚、この実施の形態によって本発明が限定されるものではない。
【００３０】
（実施の形態１）
以下、本願発明の一実施形態について、図１〜図１５を用いて説明する。
【００３１】
本実施形態の掃除機は、図１及び図２に示す集塵室と電動送風機を内蔵した掃除機本体２と、掃除機本体２のホース接続部９に接続されるホース２５と、前記掃除機本体２を内部に収納するカバー部材３とで構成されている。
【００３２】
図１、図３に示すように、カバー部材３は、上面が開口した開口部２４を有し、掃除機本体２の底面部及び４方向の側面部を全面的或いは部分的に覆う袋体で構成され、カバー部材３の対面する２方の長手方向の側壁部３３に一対の提げ手部３１が一体に設けられている。
これにより、使用者は提げ手部３１を把持して、掃除機本体２を持ち運びすることが可能である（図１５（Ａ）に示す）。
【００３３】
また、提げ手部３１の内周部と長手方向の側壁部３３の上端部で形成される空間は十分に大きくとられており、使用者が提げ手部３１を肘の内側に掛けたり（図１５（Ｃ）に示す）、或いは肩にかけて使用することも可能である（図１５（Ｄ）に示す）。
【００３４】
図１、図３、図６に示すように、カバー部材３の短手方向の側壁部３４には掃除機本体の前後方向に向けて前方開口部３５ａと後方開口部３５ｂが設けられ、前側の前方開口部３５ａからは掃除機本体２に内蔵された塵埃収納部５が突出するように構成されている。
【００３５】
図１０に示すように、塵埃収納部５は集塵室４の内側に着脱自在に配置されており、塵埃収納部５は係り部８において、集塵室４の内部に係止され、また、図１４に示すように、着脱レバー７を押し下げることで、係り部８が解除され、掃除機本体２から取り外すことができる。
【００３６】
これにより、使用者は前方開口部３５ａを介して、塵埃収納部５を取出し、内部に収納された塵埃を排出することが可能である。
【００３７】
また、図１、図２、図４、図５に示すように、前方開口部３５ａからは、掃除機本体２の下部外郭１７に設けた電源操作部１９及び表示部２０が突出しており、電源操作部１９を操作することにより、掃除機本体２の運転状態を切換えることが可能であるとともに、運転状態を表示部２０に表示することができる。
【００３８】
一方、後方開口部３５ｂからは掃除機本体２の排気口１５及び、充電用の電池２２に充電をするための充電用ソケット２３を設けた下部外郭１７が突出している。
【００３９】
本実施の形態１において、カバー部材３は布及びウレタンを用いて構成されており、これにより、カバー部材３の軽量化を図ると共に、使用者が持ち運ぶ際に、掃除機本体２が使用者の身体に接触した際の衝撃を和らげることができる。
またさらに、掃除機本体２に内蔵された電動送風機１１の振動が手に伝わることを低減させることができる。
また、掃除機本体２の外形に対して、柔軟に沿わせることが可能であり、電気掃除機１の外観性を向上させることができる。
【００４０】
柔軟性を有するカバー部材３で掃除機本体２を覆う場合、カバー部材３の内部で掃除機本体２が移動したり、カバー部材３の前方開口部３５ａ及び後方開口部３５ｂから脱落する可能性が考えられる。
【００４１】
そこで、本実施の形態１においては、前方開口部３５ａ及び後方開口部３５ｂはそれぞれ掃除機本体２の突出部形状に沿った形状とすることで、掃除機本体２の突出部と前方開口部３５ａ及び後方開口部３５ｂとの位置がずれるのを防止している。ここで、前方開口
部３５ａ及び後方開口部３５ｂの端部を伸縮性のある縁取部材３６で構成することで、前方開口部３５ａ及び後方開口部３５ｂの形状を突出部形状に沿わせても良い。
【００４２】
加えて、図１３に示すように、カバー部材３の内部において、カバー部材３の対面する長手方向の側壁部３３の各々の内壁に、それぞれ固定ベルト３７をベルト取付部３８によって設けられ、固定ベルト３７を掃除機本体２の上面において、マジックテープ（登録商標）等によるベルト接続部３９によって互いに接続することで、掃除機本体２の側面とカバー部材３の内壁面との間に隙間が生じることを防止し、掃除機本体２をカバー部材３の内部に安定的に固定させる構成とした。
【００４３】
ここで、固定ベルト３７は掃除機本体２の上面よりも低い位置で、カバー部材３の内壁へ取り付けることで、掃除機本体２をカバー部材３の下方により確実に固定することが可能である。また、掃除機本体２の上面には、固定ベルト３７の位置に合わせて溝部やスリットなどを形成（図示せず）すれば、固定ベルト３７がずれることなく、より確実に固定することが可能となる。
【００４４】
図１０、図１１に示すように、掃除機本体２は、その上面がカバー部材３の上方開口部に対向するように、カバー部材３の内側下部に収納されると共に、カバー部材３の内側上部には、ホース２５及び吸込具２７を収納する収納部４４を設けた。掃除機本体２の上面にホース２５を接続するためのホース接続部９を形成することで、ホース２５を全体的にカバー部材３の内部に収納することができる。
【００４５】
図２に示すように、掃除機本体２の収納部４４に対向する面（上面）に、収納したホース２５や吸込具２７を保持するための取付け形状を形成することで、ホース２５や吸込具２７をカバー部材３の内側に確実に保持させるように構成してもよい。取付け形状は上部外郭１６に一体、或いは別体に形成してもよい。
また、カバー部材３の内側に仕切りやポケット形状を設けることで、複数の吸込具２７を個別に収納しうるように構成してもよい。
【００４６】
またカバー部材３が上方に開口するため、使用者は片方の手でカバー部材３の提げ手部３１を把持した状態であっても、もう一方の手でホース２５や吸込具２７をカバー部材３から容易に取り出したり、或いは内部に収納することが可能である（図１５（Ｂ）に示す）。
【００４７】
図１、図１５に示すように、使用時においてはカバー部材３の短手方向の側壁部３４の上端を跨ぐようにホース２５を引き出すが、図３に示すように、短手方向の側壁部３４の上端を下方に下げる凹部３０を形成することで、ホース２５を取出し易くすることが可能である。
【００４８】
図２、図１０に示すように、掃除機本体２は、その外郭を上部外郭１６と下部外郭１７とで構成し、掃除機本体２の前方部には集塵室４及び塵埃収納部５が配置され、図４、図６、図９に示すように、下部外郭１７の前方部に配置された塵埃収納部５と共に、カバー部材３の前方開口部３５ａから突出するように形成されている。掃除機本体２の後方部には排気口１５を有し、カバー部材３の後方開口部３５ｂから突出するように形成されている。
【００４９】
また、図１、図２に示すように、下部外郭１７のカバー部材３から突出した部分には、下方に向けて本体脚部１８を形成し、掃除機本体が床などの平面上に安定的に置ける構成とした。ここで、本体脚部１８の高さをカバー部材３の底部３２が床に接触しないよう十分な高さとすることで、掃除機本体２の安定性をより向上させることができる。
【００５０】
本実施の形態１の電気掃除機１は電動送風機１１の駆動手段として、電池２２を用いている。一般的に、電池２２は高温環境においてその放電特性が低下する傾向があるため、適切な温度状態となるよう、放熱或いは冷却をすることが好ましい。
【００５１】
本実施の形態１においては、図２、図１０に示すように、電池２２を電動送風機１１の前方の吸気上流側で、かつ掃除機本体２の上面に配置し、電池２２の表面がカバー部材３で覆われない構成とすると共に、電池２２の外郭の一部を集塵室４に対向するように配置することで、電池２２が生じた熱を集塵室４の内部に生じる吸気側へ吸熱させる構成としたものである。
【００５２】
次に、本実施の形態１の構成における動作について説明する。図１０に示すように、使用者が電源操作部１９を操作することにより、電池２２から電動送風機１１に電気エネルギーが供給され、電動送風機１１が駆動し、空気が吸引される。これにより、ホース２５の先端部から吸引された塵埃を含んだ空気は、ホース２５から吸気通路１０を通り、塵埃収納部５へと導入される。
【００５３】
ここで、塵埃と空気が分離され、塵埃は塵埃収納部５内に備えた集塵用紙袋６の内部に留まり、清潔な空気は集塵室４の通気口を通って電動送風機１１に流入する。電動送風機１１から排出された空気は電動送風機カバー１２と下部外郭１７とで形成された排気経路１３を通り、排気部フィルター１４を通過し、排気口１５から機外へと排出される。
【００５４】
電動送風機カバー１２の上方にはプリント基板２１が配されており、電源操作部１９からの入力に基づいて、電動送風機１１への電気エネルギーの供給を制御すると共に、充電用ソケット２３に印加された電気エネルギーによって電池２２への充電状態を制御する。
【００５５】
本実施の形態１において、塵埃収納部５は一般的な電気掃除機にあるような、不織布や紙材で構成した集塵用紙袋６を用いて塵埃と空気を分離するものとしているが、これに限らず、サイクロンの遠心力気流を利用して塵埃と空気を分離するものであってもよい。
【００５６】
また、電動送風機１１を駆動する手段としては、電池２２による電気エネルギーの供給に限らず、電源コード（図示せず）を用いた外部電源によるものでもよい。
【００５７】
また、掃除機本体２を収容するカバー部材３は、布やウレタンなどの被服材料の他、発泡ゴムや発泡ポリエチレンなどの柔軟性を持つ材料、或いはこれらの組合せで構成したものであって良く、提げ手部３１の材質についても限定するものではない。
【００５８】
加えて、カバー部材３について、表面を耐摩耗性、撥水性、光沢性などの機能を持った被服材料や繊維材で覆うことにより、カバー部材３自体に機能性を付加することで電気掃除機１自体の美観性や機能性を向上させることが可能である。
【００５９】
また、カバー部材３や提げ手部３１の形状は図１から図１８に示した形状に限定されるものではなく、提げ手部３１の形状や補強部材の追加など、掃除機本体２の形状や用途に合わせて変更可能である。
【００６０】
（実施の形態２）
以下、本願発明の実施の形態２について、図１６及び、図１７を用いて説明する。
【００６１】
本実施の形態２において、カバー部材３は、上部が開口し掃除機本体２の底面部及び４方向の側壁部を形成する対面する長手方向の側壁部３３と対面する短手方向の側壁部３４
を全面的或いは部分的に覆う袋状に構成され、内側下部に掃除機本体２を収納すると共に、内側上部には掃除機本体２に接続されるホース２５を収納するための収納部４４を設けている。
【００６２】
カバー部材３の対面する２方の長手方向の側壁部３３の上部には肩掛け部４０が別体に取付けられており、２方の長手方向の側壁部３３を互いに繋ぐように構成されている（図１６（Ａ）に示す）。
【００６３】
肩掛け部４０は肩掛けベルト４１と長さ調整手段４２、及び肩あて部４３とで構成されており、使用者は肩掛けベルト４１をタスキ掛けするようにして、カバー部材３及び掃除機本体２を携行することが可能である（図１６（Ｂ）に示す）。
【００６４】
これによって、使用者はカバー部材３を手で把持する必要がないため、電気掃除機１の使用時に一方の手でホース２５或いは吸込具２７を持ちつつ、もう一方の手で障害物を移動させるなど作業の効率を向上させることができる。
【００６５】
また、掃除機本体２の荷重は肩掛けベルト４１及び肩あて部４３を介して、肩で支えるため、腕部への負荷を軽減することができ、使用性の高い電気掃除機１とすることができる。
【００６６】
また、カバー部材３を布やウレタンなどの被服材料や、発泡ゴムや発泡ポリエチレンなどの柔軟性を持つ材料、或いはこれらの組合せで構成することで、掃除機本体２が使用者の身体に接触した際の衝撃を和らげることができると共に、掃除機本体２に内蔵された電動送風機１１の振動が手に伝わることを低減させることができる。
【００６７】
カバー部材３の短手方向の側壁部３４には掃除機本体２の前後方向に向けて前方開口部３５ａと後方開口部３５ｂが設けられ、前側の前方開口部３５ａからは掃除機本体２に内蔵された塵埃収納部５が突出するように構成されており、後側の後方開口部３５ｂからは排気口１５が突出している。
【００６８】
本実施の形態２において、掃除機本体２の構成は、実施の形態１に記載の構成と同様であり、説明を省略する。
【００６９】
また、本実施の形態２において、肩掛け部４０はカバー部材３に対して着脱可能に構成されても良く、また、一体に構成してもよい。
【００７０】
また、肩掛け部４０の取付け位置は、対面する２方の長手方向の側壁部３３の上部に限らず、例えば、一方のみの長手方向の側壁部３３側に取付けたものでもよく（図１７に示す）、また、複数の肩掛け部を取付けても良い。
【００７１】
（実施の形態３）
以下、本願発明の実施の形態３について、図１８を用いて説明する。
【００７２】
本実施の形態３において、掃除機本体２は内部に電動送風機１１及び集塵室４を内蔵し、前後方向に長い略円筒状の外郭で構成されている。掃除機本体２の前方部には集塵室（図示せず）が構成され、集塵室内部には塵埃収納部５が着脱自在に配置されると共に、塵埃収納部５の一部は掃除機本体２の外郭を構成している。
【００７３】
カバー部材３は掃除機本体２の底面部と長手方向の２方の側面部を、全面的或いは部分的に覆う形状である。掃除機本体２の上方において、カバー部材３の２方の側面部は、そ
の上端が重なるように接続されており、ここに肩掛け部４０が別体に取付けられており、使用者は肩掛けベルト４１をタスキ掛けするようにして、カバー部材３及び掃除機本体２を携行することが可能できると共に、カバー部材３を手で把持する必要がないため、電気掃除機１の使用時に一方の手でホース２５或いは吸込具２７を持ちつつ、もう一方の手で障害物を移動させるなど作業の効率を向上させることができる。
【００７４】
また、掃除機本体２の荷重は肩掛け部４０を介して、肩で支えるため、腕部への負荷を軽減することができ、使用性の高い電気掃除機１とすることができる。
【００７５】
カバー部材３は、それ自体が、布やウレタンなどの被服材料や、発泡ゴムや発泡ポリエチレンなどの柔軟性を持つ材料、或いはこれらの組合せで構成されており、掃除機本体２が使用者の身体に接触した際の衝撃を和らげることができると共に、掃除機本体２に内蔵された電動送風機１１の振動が手に伝わることを低減させることができる。
【００７６】
掃除機本体２の前方部は、カバー部材３の前方端部より突出するように構成されており、塵埃収納部５を容易に取出すことが可能である。
【００７７】
また、掃除機本体の２の後方部は、カバー部材３の後方端部より突出するように構成されており、排気口１５からの排気を機外に排出することができる。
【００７８】
掃除機本体２の上方には、掃除機本体２の上面と、カバー部材３の側壁内面部との間の空間で収納部４４を形成し、ここにホース２５及び、吸込具２７を収納可能としている。
【００７９】
本実施の形態３によれば、カバー部材３の形状を簡易なものとすることが可能であることから、カバー部材３の製造効率を高め、本実施の形態３の電気掃除機の価格をより安価にすることが可能である。
【産業上の利用可能性】
【００８０】
以上のように、本発明の掃除機は、掃除機本体の底面及び対向する２側面の少なくとも３面を覆うカバー部材を設け、前記カバー部材に提げ手部及び肩掛け部の少なくとも一方を設け、また、前記カバー部材の内側上方に掃除機付属品を収容可能にすることで、掃除機本体の持ち運びを容易にすると共に、ホースや吸込具などの掃除機付属品をカバー部材の内側に収納可能とし、使用性の高い電気掃除機を提供できるものである。
【符号の説明】
【００８１】
１  電気掃除機
２  掃除機本体
３  カバー部材（袋体）
４  集塵室
５  塵埃収納部
６  集塵用紙袋
７  着脱レバー
８  係り部
９  ホース接続部
１０  吸気通路
１１  電動送風機
１２  電動送風機カバー
１３  排気経路
１４  排気部フィルター
１５  排気口
１６  上部外郭
１７  下部外郭
１８  本体脚部
１９  電源操作部
２０  表示部
２１  プリント基板
２２  電池
２３  充電用ソケット
２４  開口部
２５  ホース
２７  吸込具
３１  提げ手部
３２  底部
３３  長手方向の側壁部
３４  短手方向の側壁部
３５ａ  前方開口部
３５ｂ  後方開口部
３６  縁取部材
３７  固定ベルト
３８  ベルト取付部
３９  ベルト接続部
４０  肩掛け部
４１  肩掛けベルト
４２  長さ調整手段
４３  肩あて部
４４  収納部
【図１】
2017176401.tif 000003
【図２】
2017176401.tif 000004
【図３】
2017176401.tif 000005
【図４】
2017176401.tif 000006
【図５】
2017176401.tif 000007
【図６】
2017176401.tif 000008
【図７】
2017176401.tif 000009
【図８】
2017176401.tif 000010
【図９】
2017176401.tif 000011
【図１０】
2017176401.tif 000012
【図１１】
2017176401.tif 000013
【図１２】
2017176401.tif 000014
【図１３】
2017176401.tif 000015
【図１４】
2017176401.tif 000016
【図１５】
2017176401.tif 000017
【図１６】
2017176401.tif 000018
【図１７】
2017176401.tif 000019
【図１８】
2017176401.tif 000020
【図１９】
2017176401.tif 000021